(57)【要約】 【課題】  ＵＲＬの入力を自動的に行うことのできる通信装置およびブラウザ切換方法を提供することを目的とする。【解決手段】  移動機１００は、ネットワーク上に配置されるサーバと通信して、当該サーバから取得されたウエブデータを処理して表示する第１ブラウザ１０３と、第１ブラウザ１０３で処理することのできないウエブデータを処理することができる第２ブラウザ１０４と、を有している。この移動機１００において、操作部１０５により切り換え指示を受け付けると、第１ブラウザ１０３で通信された通信先であるＵＲＬをＵＲＬ格納部１０６は記憶する。この記憶されているＵＲＬに基づいて、第２ブラウザ１０４はＵＲＬに基づいて通信接続するよう、第２ブラウザ１０４をアプリケーション管理部１０２は制御する。【選択図】  図１
2006350831.tif 000002
【特許請求の範囲】
【請求項１】
ネットワーク上に配置されるサイトと通信して、当該サイトから取得されたウエブデータを処理して表示する第１ブラウザ手段と、前記第１ブラウザ手段で処理することのできないウエブデータを処理することができ、ネットワーク上に配置されるサイトに通信接続して、当該サイトから取得されたウエブデータを処理して表示する第２ブラウザ手段と、を有する通信装置において、
前記第１ブラウザ手段から前記第２ブラウザ手段に切り換える切換指示をユーザから受け付ける受付手段と、
前記受付手段が切換指示を受け付けると、前記第１ブラウザ手段で通信された通信先を示すアドレス情報を記憶する記憶手段と、
前記記憶手段に記憶されているアドレス情報に基づいて、前記第２ブラウザ手段は通信接続するよう、前記第２ブラウザ手段を制御する制御手段と、
を備える通信装置。
【請求項２】
ネットワーク上に配置されるサイトに通信接続して、当該サイトから取得されたウエブデータを処理して表示する第１ブラウザ手段と、前記第１ブラウザ手段で処理することのできないウエブデータを処理することができ、ネットワーク上に配置されるサイトに通信接続して、当該サイトから取得されたウエブデータを処理して表示する第２ブラウザ手段と、を有する通信装置ブラウザ切換方法において、
前記第１ブラウザ手段から前記第２ブラウザ手段に切り換える切換指示をユーザから受け付ける受付ステップと、
前記受付手段が切り換え指示を受け付けると、前記第１ブラウザ手段で通信された通信先を示すアドレス情報を記憶する記憶ステップと、
前記記憶ステップで記憶されたアドレス情報に基づいて、前記第２ブラウザ手段は通信接続する通信ステップと、
を備えるブラウザ切換方法。
【発明の詳細な説明】
【技術分野】
【０００１】
本発明は、ウエブデータを取得して処理する通信装置およびブラウザ切換方法に関する。
【背景技術】
【０００２】
従来から、インターネットに配置されるサイトからウエブデータを取得して表示することのできるブラウザが知られている。通常、このブラウザをパソコン上で起動させると、起動したブラウザは初期値として設定されているＵＲＬ（Uniform Resource Locator）に接続し、このＵＲＬ先で保持されているウエブデータを取得して表示する。また、ユーザがブラウザ内におけるＵＲＬの入力欄に任意のＵＲＬを入力することにより、ブラウザは入力されたＵＲＬ先で保持されているウエブデータを取得して表示する。
【０００３】
ここで、ブラウザは取得したウエブデータを処理することができない場合がある。例えば、ブラウザにサポートされていない機能が、ウエブデータに付加されている場合、ブラウザはウエブデータを処理して表示することができない。一般のパソコンはブラウザを複数搭載している。よって、一のブラウザがウエブデータを処理することができなかった場合は、ユーザはマルチウインドウ処理により上記一のブラウザとは別のブラウザを立ち上げて、この別のブラウザを用いてウエブデータを処理させることができる。なお、この背景技術は文献公知発明に係るものではないので、記載すべき先行技術文献情報はない。
【発明の開示】
【発明が解決しようとする課題】
【０００４】
しかしながら、別のブラウザを起動させる場合、ユーザはＵＲＬをもう一度入力することになり、大変手間がかかるという問題が生ずる。ここでＵＲＬを入力する手間を解消する方法として、一のブラウザに入力されたＵＲＬをコピーして、別のブラウザにペーストする方法が考えられる。しかしながら、移動機などの携帯端末ではディスプレイが小さいため、複数のブラウザを一度に表示することは困難である。また、機種によってはマルチウインドウ機能を有していないものもある。よって、ユーザは、上述のとおりのＵＲＬのコピー・ペースト作業を行うことができず、既に起動したブラウザで入力したＵＲＬを別のブラウザに移し変えることは困難であるという問題がある。
【０００５】
そこで、本発明はＵＲＬの入力を自動的に行うことのできる通信装置およびブラウザ切換方法を提供することを目的とする。
【課題を解決するための手段】
【０００６】
上述の課題を解決するために、本発明の通信装置は、ネットワーク上に配置されるサイトと通信して、当該サイトから取得されたウエブデータを処理して表示する第１ブラウザ手段と、上記第１ブラウザ手段で処理することのできないウエブデータを処理することができ、ネットワーク上に配置されるサイトに通信接続して、当該サイトから取得されたウエブデータを処理して表示する第２ブラウザ手段と、を有する通信装置において、上記第１ブラウザ手段から上記第２ブラウザ手段に切り換える切換指示をユーザから受け付ける受付手段と、上記受付手段が切換指示を受け付けると、上記第１ブラウザ手段で通信された通信先を示すアドレス情報を記憶する記憶手段と、上記記憶手段に記憶されているアドレス情報に基づいて、上記第２ブラウザ手段は通信接続するよう、上記第２ブラウザ手段を制御する制御手段と、を備えている。
【０００７】
また、本発明のブラウザ切換方法は、ネットワーク上に配置されるサイトに通信接続して、当該サイトから取得されたウエブデータを処理して表示する第１ブラウザ手段と、上記第１ブラウザ手段で処理することのできないウエブデータを処理することができ、ネットワーク上に配置されるサイトに通信接続して、当該サイトから取得されたウエブデータを処理して表示する第２ブラウザ手段と、を有する通信装置のブラウザ切換方法において、上記第１ブラウザ手段から上記第２ブラウザ手段に切り換える切換指示をユーザから受け付ける受付ステップと、上記受付手段が切り換え指示を受け付けると、上記第１ブラウザ手段で通信された通信先を示すアドレス情報を記憶する記憶ステップと、上記記憶ステップで記憶されたアドレス情報に基づいて、上記第２ブラウザ手段は通信接続する通信ステップと、を備えている。
【０００８】
この構成によれば、第１ブラウザ手段から第２ブラウザ手段に切り換える指示をユーザから受け付け、切換指示を受け付けると、第１ブラウザ手段で通信された通信先を示すアドレス情報を記憶し、記憶されたアドレス情報に基づいて、切り換えられた第２ブラウザ手段は通信接続することができる。これにより、同じアドレス情報を入力することなく、切換指示を行うといった簡単な操作で、ユーザは、第１ブラウザ手段で通信接続していたサイトに、第２ブラウザ手段を用いて通信接続することができる。
【発明の効果】
【０００９】
本発明は、アドレス情報を入力することなく、切換指示を行うといった簡単な操作で、ユーザは第１ブラウザ手段で通信接続していたサイトに、第２ブラウザ手段を用いて通信接続することができる。
【発明を実施するための最良の形態】
【００１０】
本発明は、一実施形態のために示された添付図面を参照して以下の詳細な記述を考慮することによって容易に理解することができる。引き続いて、添付図面を参照しながら本発明の実施形態を説明する。可能な場合には、同一の部分には同一の符号を付して、重複する説明を省略する。
【００１１】
図１は、本実施形態の移動機１００のブロック構成図である。移動機１００は、公衆無線網２００を経由してウエブデータを提供するサイト（図示せず）と通信することができる。移動機１００は、通信部１０１、アプリケーション管理部１０２（制御手段）、第１ブラウザ１０３（第１ブラウザ手段）、第２ブラウザ１０４（第２ブラウザ手段）、操作部１０５（受付手段）、ＵＲＬ格納部１０６（記憶手段）および表示部１０７を含んで構成されている。以下、各構成について説明する。
【００１２】
通信部１０１は、公衆無線網２００を経由してサイトからウエブデータを受信する部分である。通信部１０１は、受信したウエブデータを第1ブラウザ、または第２ブラウザのいずれか、ウエブデータの取得要求をしたブラウザに出力する。
【００１３】
アプリケーション管理部１０２は、アプリケーションである第１ブラウザ１０３および第２ブラウザ１０４を制御する部分である。この第１ブラウザ１０３および第２ブラウザ１０４は、それぞれＵＲＬ記述部１０３ａ、ＵＲＬ記述部１０４ａ、例えばアドレスバーを有しており、ユーザによりＵＲＬを記述可能に構成されている。
【００１４】
アプリケーション管理部１０２は、操作部１０５からの起動指示または切換指示により、メモリ（図示せず）に記憶されている第１ブラウザ１０３および第２ブラウザ１０４を起動させ、または切り換える制御を行う。そして、アプリケーション管理部１０２は、起動させた第１ブラウザ１０３および第２ブラウザ１０４で処理されたウエブデータを表示部１０７に表示させる。
【００１５】
また、アプリケーション管理部１０２は、第1ブラウザ１０３を起動させている状態において、ユーザ操作により、第１ブラウザ１０３から第２ブラウザ１０４に切り換えるためのブラウザ切換指示を受けると、第１ブラウザ１０３のＵＲＬ記述部１０３ａに記述されているＵＲＬをＵＲＬ格納部１０６に出力して、ＵＲＬ格納部１０６にＵＲＬを記憶させる。そして、アプリケーション管理部１０２は、ＵＲＬがＵＲＬ格納部１０６に記憶された後に、第１ブラウザ１０３を終了させ、第２ブラウザ１０４を切換起動するよう切換指示を出力して、第２ブラウザ１０４を起動させる。
【００１６】
アプリケーション管理部１０２は、切換指示を行うことにより第２ブラウザ１０４を起動させた場合、ＵＲＬ格納部１０６に記憶されているＵＲＬを取り出して、これを第２ブラウザ１０４のＵＲＬ記述部１０４ａに記述する。そして、アプリケーション管理部１０２は、第２ブラウザ１０４がＵＲＬ記述部１０４ａに記述されたＵＲＬに基づいて通信接続を行うよう制御する。なお、アプリケーション管理部１０２は、第２ブラウザ１０４に対して、切換指示ではない通常の起動を行わせる場合は、第２ブラウザ１０４に設定されている初期設定値に基づいたＵＲＬをＵＲＬ記述部１０４ａに記述して、通信接続を行わせる。
【００１７】
ここで、第２ブラウザ１０４は、第１ブラウザ１０３より高機能なブラウザであって、例えば、扱うことができる画像ファイルの種類が多く、また画像およびアニメーションなどに対する高機能なデータ処理を行うことができるものである。
【００１８】
操作部１０５は、ユーザにより操作されるキーパッドから構成されるものであって、この操作部１０５を用いてユーザによりＵＲＬが記入され、第１ブラウザ１０３に対する操作が行われ、またブラウザの起動指示または切換指示が行われる。また、操作部１０５は、第２ブラウザ１０４に対する操作を行うことができ、同様にユーザは操作部１０５を用いて第２ブラウザ１０４にＵＲＬを入力することができる。
【００１９】
ＵＲＬ格納部１０６は、第１ブラウザ１０３から出力されるＵＲＬを記憶する部分であり、表示部１０７は、第１ブラウザおよび第２ブラウザにより処理されたウエブデータを表示する部分である。
【００２０】
このように構成された移動機１００の動作について説明する。図２は、移動機１００の動作を示すフローチャートである。アプリケーション管理部１０２は、ユーザ操作に基づいて、第１ブラウザ１０３を起動し、第１ブラウザ１０３はユーザにより入力されたＵＲＬに基づく任意のサイトにアクセスする。ここで、アプリケーション管理部１０２において、第２ブラウザに対する切換指示または起動指示のいずれかの指示が、操作部１０５により与えられたか判断される（Ｓ１０１）。ここで、ユーザ操作により指示されたブラウザ切換指示が行われたと判断されると（Ｓ１０１：切換指示）、上述の第１ブラウザ１０３にユーザにより入力されたＵＲＬは、第１ブラウザ１０３によりＵＲＬ格納部１０６に出力され、当該ＵＲＬはＵＲＬ格納部１０６に記憶される（Ｓ１０２）。
【００２１】
ＵＲＬ格納部１０６にＵＲＬが記憶された後、アプリケーション管理部１０２により第１ブラウザ１０３の終了指示が行われ、第１ブラウザ１０３は終了する（Ｓ１０３）。第１ブラウザ１０３の終了後、第１ブラウザ１０３から第２ブラウザ１０４に切り換えるためのブラウザ切換指示が、アプリケーション管理部１０２から出力され、これを受けた第２ブラウザは起動する（Ｓ１０４）。そして、第２ブラウザ１０４において、ＵＲＬ格納部１０６に記憶されているＵＲＬは取り出され（Ｓ１０５）、アプリケーション管理部１０２により、取り出されたＵＲＬは通信接続先として、第２ブラウザ１０４のＵＲＬ記述部１０４ａに記述される。そして、第２ブラウザ１０４により、取り出されたＵＲＬに基づくサイトに対して通信接続が行われる（Ｓ１０６）。
【００２２】
Ｓ１０１において、操作部１０５により、第２ブラウザ１０４の通常の起動信号が出力されたと、アプリケーション管理部１０２により判断された場合は、アプリケーション管理部１０２により第２ブラウザ１０４は起動される（Ｓ１０７）。ここでは、第２ブラウザ１０４において、ＵＲＬ格納部１０６からＵＲＬは取り出されることなく、第２ブラウザ１０４内で初期設定として定められているＵＲＬに基づいて通信接続される（Ｓ１０８）。
【００２３】
なお、ここでは、第２ブラウザ１０４は新たに起動することとして説明したが、これに限るものではない。すなわち、あらかじめ第１ブラウザ１０３および第２ブラウザ１０４が起動している状態において、アプリケーション管理部１０２により、ブラウザ切換指示が出力されると、第２ブラウザ１０４に対する起動処理を行うステップが実行されることなく、第２ブラウザ１０４ではＵＲＬ格納部１０６からＵＲＬが取り出される処理が行われ、通信接続が行われるようにしてもよい。
【００２４】
つぎに、本実施形態の移動機１００の作用効果について説明する。本実施形態の移動機１００は、第１ブラウザ１０３から第２ブラウザ１０４に切り換える指示をユーザから操作部１０５から受け付け、切換指示を受け付けると、第１ブラウザ１０３で通信された通信先を示すＵＲＬを記憶し、記憶されたＵＲＬに基づいて、切り換えられた第２ブラウザ１０４は通信接続することができる。これにより、ＵＲＬを入力することなく、切換指示を行うといった簡単な操作で、第１ブラウザ１０３で通信接続していたサイトに、第２ブラウザ１０４を用いて通信接続することができる。
【図面の簡単な説明】
【００２５】
【図１】本実施形態の移動機１００のブロック構成図である。
【図２】移動機１００の動作を示すフローチャートである。
【符号の説明】
【００２６】
１００…移動機、１０１…通信部、１０２…アプリケーション管理部、１０３…第１ブラウザ、１０３ａ…ＵＲＬ記述部、１０４…第２ブラウザ、１０４ａ…ＵＲＬ記述部、１０５…操作部、１０６…ＵＲＬ格納部、１０７…表示部、２００…公衆無線網。
【図１】
2006350831.tif 000003
【図２】
2006350831.tif 000004